(57)【要約】      （修正有）【課題】剛性容器の上に載置される薄肉容器を有する食品容器を提供する。【解決手段】剛性容器３４の上に載置される薄肉容器３３を有する食品容器は、食品を入れる用途のために中心部分に配置された凹部３９を備え、前記薄肉容器の上縁部４５は、下向きフランジ４８及び該下向きフランジから前記凹部に向かって延びている複数の内方突出部４９を含み、前記内方突出部は、個々に間隔が空けられ、前記薄肉容器の縁回りに配置されており、前記下向きフランジから前記凹部の外側に向かって延びているグリップ部５４を備え、前記剛性容器は、前記薄肉容器の凹部３９を支えるための凹部４０を備え、前記剛性容器は、前記薄肉容器及び食品の重量を支えるのに十分な強度を有し、前記薄肉容器は、前記剛性容器の上縁部５７の回りに前記薄肉容器の下向きフランジ４８を取り付けることにより前記剛性容器に装着され、前記剛性容器の上縁部５７は、前記薄肉容器の上縁部４５と前記内方突出部との間に位置することを特徴とする。【選択図】図１
0003191090.tif 000002
【実用新案登録請求の範囲】
【請求項１】
剛性容器の上に載置される薄肉容器を有する食品容器であって、
前記薄肉容器は、食品を入れる用途のために中心部分に配置された凹部を備え、
前記薄肉容器の上縁部は、下向きフランジ及び該下向きフランジから前記凹部に向かって延びている複数の内方突出部を含み、
前記内方突出部は、個々に間隔が空けられ、前記薄肉容器の縁回りに配置されており、
前記下向きフランジから前記凹部の外側に向かって延びているグリップ部を備え、
前記剛性容器は、前記薄肉容器の前記凹部を支えるための凹部を備え、
前記剛性容器は、前記薄肉容器及び食品の重量を支えるのに十分な強度を有し、
前記薄肉容器は、前記剛性容器の上縁部の回りに前記薄肉容器の下向きフランジを取り付けることにより前記剛性容器に装着され、前記剛性容器の上縁部は、前記薄肉容器の上縁部と前記内方突出部との間に位置することを特徴とする剛性容器の上に載置される薄肉容器を有する食品容器。
【請求項２】
二つのグリップがあり、それぞれが丸みを帯び、反対側に配置される請求項１記載の剛性容器の上に載置される薄肉容器を有する食品容器。
【請求項３】
前記薄肉容器は、ポリプロピレン、ポリスチレン、耐衝撃性ポリスチレン（ＨＩＰＳ）又は合成樹脂塗工紙で形成され、
前記剛性容器は、アクリロニトリルブタジエンスチレン樹脂（ＡＢＳ）、ポリプロピレン、メラミン、セラミックス又はステンレス鋼で形成される請求項１記載の剛性容器の上に載置される薄肉容器を有する食品容器。
【請求項４】
前記薄肉容器の厚さは、０．０３ｍｍ〜２ｍｍの範囲である請求項３記載の剛性容器の上に載置される薄肉容器を有する食品容器。
【請求項５】
前記薄肉容器は、椀形状であり、
前記剛性容器は、椀形状である請求項１記載の剛性容器の上に載置される薄肉容器を有する食品容器。
【請求項６】
前記薄肉容器は、オーバル皿状であり、
前記剛性容器は、オーバル皿状である請求項１記載の剛性容器の上に載置される薄肉容器を有する食品容器。
【請求項７】
前記薄肉容器は、円形皿状であり、
前記剛性容器は、円形皿状である請求項１記載の剛性容器の上に載置される薄肉容器を有する食品容器。
【請求項８】
前記薄肉容器は、真空成形工程によるプラスチックシート又は射出成形若しくはブロー成形によるプラスチックで形成され、
前記剛性容器は、射出成形工程によるプラスチック又は真空成形工程によるプラスチックシートで形成される請求項１記載の剛性容器の上に載置される薄肉容器を有する食品容器。
【請求項９】
前記下向きフランジは、前記剛性容器の上縁部の下の位置において、前記位置から下向き方向に延びており、
前記下向きフランジは、丸みを帯びている請求項１記載の剛性容器の上に載置される薄肉容器を有する食品容器。
【考案の詳細な説明】
【技術分野】
【０００１】
本考案は、食品容器に関する。特に、本考案は、剛性容器の上に載置される薄肉容器を有する食品容器に関する。
【背景技術】
【０００２】
現在、衛生的な屋内飲食店や街頭屋台のような様々な飲食店がある。これらの飲食店は大量の食品容器を使用する。食品容器には、多くの形状、例えば、深い椀、通称直径８インチヌードルボウル又は他のサイズとしてオーバル状皿や通常の皿等がある。飲食店のオーナーは、顧客の最大数とそれに加えて洗浄待ちの使用済み容器の数量を見込み、十分な食品容器を用意しておかなければならない。食品が調理され、顧客に出すために容器に盛りつけられ、顧客が食べ終えた後、従業員が容器を洗い場へ運ぶことが日課になっている。一部の例では、適切で衛生的な洗い場が存在しない、市場の中や縁石に沿った小さな飲食店がある。そこには洗浄に継続的に使用されている複数の小さいバケツや水桶のみがある。洗った容器がいくつかの残った食品や油脂、洗剤からの化学物質により汚染されているという場合がよくある問題である。詳細な検討により容器洗浄のこの手段によるデメリットが明らかになっている。衛生面においてのデメリットには汚れた容器が感染病、例えば、肝炎や腸炎等のウイルスの感染経路となることが含まれる。また、容器洗浄における高い労務費を含む生産コストというデメリットもあった。高騰する今日の生活費用により、労務費は、それに従って上昇してきている。他の関連する費用には大量の都市用水及び洗剤の使用が含まれる。これらの要素が飲食店のオーナーにコスト削減のために洗い物作業を減らさせる。生産コストに関連するもう一つのデメリットは、顧客数に加え洗浄待ちの使用済み容器の数量に応じた大量な食品容器の使用である。
【考案の概要】
【考案が解決しようとする課題】
【０００３】
そこで上記問題を解決するため、本考案は、剛性容器の上に載置される薄肉容器を有する食品容器を提供する。
【課題を解決するための手段】
【０００４】
薄肉容器は、食品を入れる用途のために中心部分に配置された凹部を備える。前記薄肉容器の上縁部は、下向きフランジ及び該下向きフランジから前記凹部に向かって延びている複数の内方突出部を含む。前記内方突出部は、個々に間隔が空けられ、前記薄肉容器の縁回りに配置されている。前記内方突出部は、剛性容器の上縁部を係合させる。前記下向きフランジから前記凹部の外側に向かって延びているグリップ部があり、前記グリップ部は、使用者の手で握られ、前記剛性容器から前記薄肉容器を取り外しやすくするためのものである。
【０００５】
前記剛性容器は、前記薄肉容器の凹部を支えるための凹部を備える。前記剛性容器は、食品の重量を支えるのに十分な強度を有し、使用者が当該食品容器を持ち上げる際に変形したり破損したりしない。
【０００６】
前記薄肉容器は、前記剛性容器の上縁部の回りに前記薄肉容器の下向きフランジを配置することにより前記剛性容器に取り付けられ、前記薄肉容器が前記剛性容器に装着され、前記剛性容器の上縁部は、前記薄肉容器の上縁部と前記内方突出部との間に位置する。
【考案の効果】
【０００７】
本考案の目的は、剛性容器の上に載置される薄肉容器を有する食品容器を提供することである。薄肉容器は使い捨て可能であるため、皿やボウル、典型的な食品容器等が洗えない不便さを排除することができる。薄肉容器が剛性容器により支えられている間、食品を格納し食品と接触する際に使用される。顧客の食事後に、前記薄肉容器を前記剛性容器から取り外して処分する。そして、食品を格納するために、使用者が新しい薄肉容器を剛性容器に取り替える。本考案により、従来のようにボウルやお皿を洗浄する必要がなくなる。本考案は、容易に使用でき、顧客へのサービスを提供する時間を短縮し、容器を洗浄するための労務費と、都市用水及び洗剤の費用とを削減する。すなわち、生産コストを削減する。
【０００８】
本考案の他の目的は、剛性容器の上に載置される薄肉容器を有する食品容器を提供することである。薄肉容器は使い捨てであるため、衛生的であり、Ａ型肝炎、Ｂ型肝炎、Ｃ型肝炎及びその他類似するウイルスを含め、病原体の蔓延を防ぐことができる。これは、薄肉容器を支える剛性容器が清潔のまま、あるいは、従業員や顧客の手によって掴んでいたことによる汚れが僅かだったからである。このため、少量の水道水で剛性容器を洗浄することができる。これにより、使用済みの容器から落とされた油脂による一般的な下水道経由の排水汚染も防げる。
【０００９】
本考案の他の目的は、薄肉容器の製造に再生利用可能な材料を使うことである。そのため、薄肉容器を繊維状プラスチックにリサイクルさせたり、あるいは、粒状プラスチックにし溶融して射出成形したりして、食品容器以外のプラスチック製品に再生利用することができる。
【００１０】
本考案のもう一つの目的は、来客人数とそれに加えて使用済みで洗浄待ちの容器の数量に対応するための大量の食品容器から減少させる食品容器の数量に関連する生産コストを削減することである。本考案の剛性容器の上に載置される薄肉容器を有する食品容器を使用することにより、食品を入れるための容器の数量が減少する。これは、剛性容器を洗浄する必要性がなくなり、又は洗浄する数量がより少なくなるからである。このため、洗浄待ちの容器がなくなる。剛性容器を迅速に次の使用に回すことが可能である。また、ボウルやプレート、オーバル状皿、他のメラミンやＡＢＳにより製造された一般的な食品容器等の使用は強制的に洗浄用研磨パッドでの手洗いによって急速に劣化する。前記劣化はプラスチック表面の剥離や多数の傷が含まれ、格納する食品に用いられると有害となったり、良好な外観を損ねたりする。劣化した容器を代替するために所有者は早めに新しい通常の食品容器を用意しなければならない。それにより生産コストが増加してしまう。一方、本考案の剛性容器の上に載置される薄肉容器を有する食品容器は、同剛性容器は強制的に多数回にわたり洗浄する必要性が少ないため容易に劣化しない。
【００１１】
本考案の他の目的は、薄肉容器が使い捨てであるため、自信を持って顧客に清潔と衛生を提供できることである。薄肉容器は熱い食品に使うことも可能であり、見映え見映えに白や他の色で製造することも可能である。
【図面の簡単な説明】
【００１２】
【図１】本考案に係る組立て前の椀形状の薄肉容器及び椀形状の剛性容器を示す斜視図である。
【図２】本考案に係る組立て後の椀形状の薄肉容器と椀形状の剛性容器を示す斜視図である。
【図３】本考案に係る椀形状の剛性容器を示す上面図である。
【図４】本考案に係る厚さｔ及び直径Ａを有する上縁部を備える椀形状の剛性容器の図３における４-４線に沿った断面を示す断面図である。
【図５】本考案に係る下向きフランジから凹部の方に延びる６つの内方突出部を備える椀形状の薄肉容器の底面図である。
【図６】椀形状の薄肉容器と、下向きフランジ、内方突出部及びグリップ部との図５における６-６線に沿った断面を示す断面図である。
【図７】本考案に係る組立て後の本考案に係る椀形状の薄肉容器及び剛性容器を示す上面図である。
【図８】本考案に係る組立て後の椀形状の薄肉容器及び椀形状の剛性容器を示す正面図である。
【図９】本考案に係る組立て後の椀形状の薄肉容器及び椀形状の剛性容器の図７中９-９線断面で示す断面図である。
【図１０】本考案に係る組立て前の椀形状の剛性容器及び椀形状の薄肉容器の図７における９-９線に沿った断面を示す断面図である。
【図１１】下向きフランジ、内方突出部及び下向きフランジから延びるグリップを示す図１０の楕円形の鎖線における拡大図である。
【図１２】内方突出部が剛性容器の上縁部に接触する際の組立工程を示す図１１と同様の拡大図である。
【図１３】内方突出部が剛性容器の上縁部に沿ってスライドされる際の組立工程を示す図１１と同様の拡大図である。
【図１４】内方突出部が剛性容器の上縁部の下側に配置されるようにスライドされる際の組立工程を示す図１１と同様の拡大図である。
【図１５】本考案に係る長さＦの凹部から外側へ水平に延びている上縁部を備える他の剛性容器を示す図１１と同様の拡大図である。
【図１６】本考案に係る組立て前のオーバル皿状の薄肉容器及びオーバル皿状の剛性容器を示す斜視図である。
【図１７】本考案に係る組立て後のオーバル皿状の薄肉容器及びオーバル皿状の剛性容器を示す斜視図である。
【図１８】本考案に係る組立て後のオーバル皿状の薄肉容器及びオーバル皿状の剛性容器を示す上面図である。
【図１９】本考案に係る組立て後のオーバル皿状の薄肉容器及びオーバル皿状の剛性容器を示す正面図である。
【図２０】本考案に係る組立て後のオーバル皿状の薄肉容器及びオーバル皿状の剛性容器の図１８における２０−２０線に沿った断面を示す断面図である。
【図２１】本考案に係る組立て前の円形皿状の薄肉容器及び円形皿状の剛性容器を示す斜視図である。
【図２２】本考案に係る組立て後の円形皿状の薄肉容器及び円形皿状の剛性容器を示す斜視図である。
【図２３】本考案に係る組立て後の円形皿状の薄肉容器及び円形皿状の剛性容器を示す上面図である。
【図２４】本考案に係る組立て後の円形皿状の薄肉容器及び円形皿状の剛性容器を示す正面図である。
【図２５】本考案に係る組立て後の円形皿状の薄肉容器及び円形皿状の剛性容器の図２３における２５−２５線に沿った断面を示す断面図である。
【考案を実施するための形態】
【００１３】
本考案の詳細について、添付の図面を参照して説明する。図面の中の同じ構成は、同じ参照番号が割り当てられる。
【００１４】
本考案における剛性容器の上に載置される薄肉容器を有する食品容器は、前記薄肉容器は、食品を入れる用途のために中心部分に配置された凹部を備え、前記薄肉容器の上縁部は、下向きフランジ及び該下向きフランジから前記凹部に向かって延びている複数の内方突出部を含み、前記内方突出部は、個々に間隔が空けられ、前記薄肉容器の縁回りに配置されており、前記内方突出部は、前記剛性容器の上縁部を係合させ、使用者の手で握られ、前記剛性容器から前記薄肉容器を取り外しやすくするための前記下向きフランジから前記凹部の外側に向かって延びているグリップ部を備え、前記剛性容器は、前記薄肉容器の凹部を支えるための凹部を備え、前記剛性容器は、使用者が当該食品容器を持ち上げる際に変形及び破損がないように前記薄肉容器及び食品の重量を支えるのに十分な強度を有し、前記薄肉容器は、前記剛性容器の上縁部の回りに前記薄肉容器の下向きフランジを配置することにより前記剛性容器に取り付けられ、前記剛性容器の上縁部は、前記薄肉容器の上縁部と前記内方突出部との間に位置することを特徴とする。
【００１５】
本考案は、図１〜図１５に示す椀形状の容器又はヌードルボウル、図１６〜図２０に示すオーバル皿状の容器、図２１〜図２５に示す円形皿状の容器に使用できる。さらに、以下に開示する原理は、異なる形状、例えば、長方形や六角形等の容器にも適用できる。
【実施例１】
【００１６】
図１は、本考案に係る組立て前の椀形状の剛性容器３４の上に載置される椀形状の薄肉容器３３を有する食品容器を示している。
【００１７】
椀形状の薄肉容器３３は、食品を入れる用途のために中心部分に配置された凹部３９を備えている。（図８、図９及び図１１に示されるように）椀形状の薄肉容器３３の上縁部４５には、当該上縁部４５より延びている下向きフランジ４８と、その下向きフランジから延びている複数の内方突出部４９とが設けられている。内方突出部４９は、凹部３９の方に延びている。内方突出部４９は、個々に間隔が空けられ、薄肉容器３３の縁回りに配置される。内方突出部４９は、剛性容器の上縁部５７と、下向きフランジ４８から凹部３９の外側に向かって延びているグリップ部５４とを係合させる役割を有する。グリップ部５４は、使用者の手で握られ、剛性容器から薄肉容器を取り外しやすくするためのものである。
【００１８】
椀形状の剛性容器３４は、椀形状の薄肉容器３３の凹部３９を支えるための凹部４０を備える。図９及び図１４に示すように、椀形状の薄肉容器３３は、剛性容器の上縁部５７の回りに薄肉容器の下向きフランジ４８を取り付けることにより椀形状の剛性容器３４に装着される。そして、剛性容器の上縁部５７は、薄肉容器の上縁部４５と内方突出部４９との間に位置する。椀形状の薄肉容器３３は、真空成形工程により製造されるポリプロピレン、ポリスチレン若しくは耐衝撃性ポリスチレン（ＨＩＰＳ）又は射出成形若しくはブロー成形により製造されるプラスチックから形成される。薄肉容器はポリオレフィン塗工紙からも製造することができ、製造された薄肉容器は摂氏１００度まで耐熱可能となる。薄肉容器の厚さは、０．０３〜２ｍｍの範囲である。
【００１９】
椀形状の剛性容器３４は射出成形工程により製造されるアクリロニトリルブタジエンスチレン樹脂（ＡＢＳ）若しくはポリプロピレン又は真空成形工程により製造されるプラスチックシートから形成される。剛性容器は、メラミンやセラミックス、ステンレス鋼等で形成されることもできる。
【００２０】
図２は、本考案に係る組立て後の椀形状の剛性容器３４の上に載置される椀形状の薄肉容器３３を有する椀形状の食品容器３０を示している。食品を盛り付けることが必要な場合、使用者はすぐに食品を椀形状の薄肉容器３３の凹部３９の上に入れることができる。顧客が食事を済ませるとすぐに、従業員は自分の手でグリップ部５４を掴み、椀形状の薄肉容器３３を椀形状の剛性容器３４から持ち上げて、使用済みの薄肉容器３３を処分できる。その後、従業員は食品を盛り付けるために、その使用済みの薄肉容器を、新しい椀形状の薄肉容器３３に換えることができる。従業員は、剛性容器３４を洗浄する必要がないし、もしくは必要であれば剛性容器３４を少し洗浄すれば足りる。
【００２１】
図３は、本考案に係る最外径がＡである椀形状の剛性容器３４を示している。
【００２２】
図４は、本考案に係る上縁部の厚さがｔであり、最外径がＡである椀形状の剛性容器３４を示している。
【００２３】
図５は、本考案に係る下向きフランジ４８から凹部３９の方に延びている６つの内方突出部４９を備える椀形状の薄肉容器３３を示している。内方突出部４９は、個々に間隔を空けて、薄肉容器３３の縁回りに配置されている。但し、製造者は６つと異なる数の内方突出部を製造したり、薄肉容器を剛性容器に装着させたりしてもよい。
【００２４】
図６は、椀形状の薄肉容器３３と下向きフランジ４８と内方突出部４９とグリップ部５４とを示しており、反対側にある２つの内方突出部４９のそれぞれは、距離Ｃで水平に延びている。それぞれの突起部の端部の間の間隔Ｊがこれによって定められる。間隔Ｊは、剛性容器３４の最外径Ａより小さい。内方突出部４９は、剛性容器３４の上縁部５７に係合させることができる。その上、下向きフランジ４８の外径Ｂは、距離Ａより大きい。これにより薄肉容器の下向きフランジ４８が剛性容器の上縁部５７の回りに取り付けられるようにできる。
【００２５】
図７は、椀形状の剛性容器３４の上にすでに載置されている椀形状の薄肉容器３３を有する椀形状の食品容器３０を示している。図に示すように、二つのグリップ部５４が丸みを帯びて反対側に配置されている。
【００２６】
図８は、椀形状の剛性容器３４の上にすでに載置されている椀形状の薄肉容器３３を有する椀形状の食品容器３０を示している。図に示すように、二つのグリップ部５４が水平に延びている。
【００２７】
図９は、椀形状の剛性容器３４の上にすでに載置されている椀形状の薄肉容器３３を有する椀形状の食品容器３０を示している。図に示すように、凹部３９が凹部４０にほぼ密着しており、剛性容器の上縁部５７が上縁部４５と内方突出部４９との間に位置している。
【００２８】
図１０は、組立て前の椀形状の剛性容器３４及び椀形状の薄肉容器３３を示している。
【００２９】
図１１は、距離Ｇで垂直方向下向きに延びている下向きフランジ４８及び水平方向の距離がＣであり、凹部３９の方に延びている内方突出部を示している。内方突出部４９は、上縁部４５から垂直方向の距離がＤの位置にある。距離Ｄは、僅かに上縁部５７の厚さｔより大きい。これにより、上縁部５７が上縁部４５と内方突出部４９との間に配置できる。この図はグリップ５４が下向きフランジ４８から延びていることも示している。
【００３０】
図１２は、使用者が剛性容器の縁に薄肉容器の縁を押し付ける際の組立工程を示している。図１２はまた、内方突出部４９が剛性容器の上縁部５７と接触している状態と、剛性容器３４の上縁部５７の下の位置において、距離がＥであり垂直方向下向きに延びている下向きフランジ６３とを示している。下向きフランジ６３は丸みを帯びており、剛性容器を補強するため上縁部５７の厚さを増す役割がある。
【００３１】
図１３は、使用者が更に薄肉容器の縁を剛性容器の縁へ押し付ける際の組立工程を示している。図１３は、内方突出部４９が剛性容器の上縁部５７に沿ってスライドされている際の状態も示している。
【００３２】
図１４は、使用者が更に押し付けた後の組立工程を示している。図１４は、内方突出部４９が剛性容器の上縁部５７の下側に配置されるようにスライドされる際の状態も示している。これで組立ては完成となる。
【実施例２】
【００３３】
図１５は、本考案に係る、凹部６１と、水平方向の距離がＦであり、凹部６１から水平方向外側に延びている上縁部６２とを有する、他の剛性容器６０を示している。
【００３４】
図１６は、本考案に係る組立て前のオーバル皿状の剛性容器３６の上に載置されるオーバル皿状の薄肉容器３５を示している。オーバル皿状の薄肉容器３５は、食品を入れる用途のために中心部分に配置された凹部４１を備えている。（図１９及び図２０に示されるように）オーバル皿状の薄肉容器３５の上縁部４６には、当該上縁部４６より延びている下向きフランジ５０と、下向きフランジ５０から凹部４１の方に延びている複数の内方突出部５１とが設けられている。グリップ部５５は、下向きフランジ５０から凹部の外側に向かって延びている。グリップ部５５は、使用者の手で握られ、剛性容器から薄肉容器を取り外しやすくするためのものである。オーバル皿状の剛性容器３６は、オーバル皿状の薄肉容器３５の凹部４１を支えるための凹部４２を備える。図２０に示すように、オーバル皿状の薄肉容器３５は、オーバル皿状の剛性容器３６の上縁部５８の回りに薄肉容器の下向きフランジ５０を取り付けることによりオーバル皿状の剛性容器３６に装着され、剛性容器の上縁部５８は、薄肉容器の上縁部４６と内方突出部５１との間に位置する。オーバル皿状の薄肉容器３５は、上述した椀形状の薄肉容器３３と同様の材料で形成される。
【００３５】
オーバル皿状の剛性容器３６は、上述した椀形状の剛性容器３４と同様の材料で形成される。
【００３６】
図１７は、本考案に係る、上述した椀形状の食品容器３０と同様の使用法で、オーバル皿状の剛性容器３６の上に載置されるオーバル皿状の薄肉容器３５を有する食品容器３１を示している。
【００３７】
図１８は、オーバル皿状の剛性容器３６の上に載置されるオーバル皿状の薄肉容器３５を有するオーバル皿状の食品容器３１を示している。図に示すように、２つのグリップ部５５は、それぞれ丸みを帯びて反対側に位置している。
【００３８】
図１９は、組立て後のオーバル皿状の薄肉容器３５及びオーバル皿状の剛性容器３６を示している。図に示すように、二つのグリップ部５５は水平に延びている。
【００３９】
図２０は、組立て後のオーバル皿状の薄肉容器３５及びオーバル皿状の剛性容器３６を示している。図に示すように、凹部４１が凹部４２にほぼ密着しており、オーバル皿状の剛性容器の上縁部５８が上縁部４６と内方突出部５１との間に位置している。
【実施例３】
【００４０】
図２１は、本考案に係る組立て前の円形皿状の剛性容器３８の上に載置される円形皿状の薄肉容器３７を示している。円形皿状の薄肉容器３７は、食品を入れる用途のために中心部分に配置された凹部４３を備えている。（図２４及び図２５に示されるように）円形皿状の薄肉容器の上縁部４７には、当該上縁部４７より延びている下向きフランジ５２と、下向きフランジ５２から凹部４３の方に延びている複数の内方突出部５３とが設けられている。内方突出部５３は、剛性容器３８の上縁部５９と、下向きフランジ５２から凹部４３の外側に向かって延びているグリップ部５６とを係合させる。円形皿状の剛性容器３８は、円形皿状の薄肉容器３７の凹部４３を支えるための凹部４４を備える。図２５に示すように、円形皿状の薄肉容器３７は、円形皿状の剛性容器の上縁部５９の回りに薄肉容器の下向きフランジ５２を取り付けることにより円形皿状の剛性容器３８に装着され、剛性容器の上縁部５９は、薄肉容器の上縁部４７と内方突出部５３との間に位置する。
【００４１】
図２２は、本考案に係る、上述した椀形状の食品容器３０と同様の使用法で、組立て後の円形皿状の剛性容器３８の上に載置される円形皿状の薄肉容器３７を有する円形皿状の食品容器３２を示している。
【００４２】
図２３は、組立て後の円形皿状の薄肉容器３７及び円形皿状の剛性容器３８を示している。図に示すように、２つのグリップ部５６は、それぞれ丸みを帯び反対側に位置している。
【００４３】
図２４は、組立て後の円形皿状の薄肉容器３７及び円形皿状の剛性容器３８を示している。図に示すように、２つのグリップ部５６は水平方向に延びている。
【００４４】
図２５は、組立て後の円形皿状の剛性容器３８と円形皿状の薄肉容器３７を示している。図に示すように、凹部４３が凹部４４にほぼ密着しており、円形皿状の剛性容器の上縁部５９が上縁部４７と内方突出部５３との間に位置している。
【００４５】
上述したように、３つの形状、即ち、椀形状とオーバル皿状と円形皿状との薄肉容器が開示されている。各形状は、対応する剛性容器に使用される。但し、開示された原理は、長方形や六角形等他の形状の容器に適用することもできる。
【００４６】
本考案に係る剛性容器の上に載置される薄肉容器を有する食品容器を使用することにより、従業員が剛性容器を洗浄する必要がなくなり、又は必要がある場合、剛性容器を少し洗浄すれば足りる。このため、容器を洗浄するための労務費が削減され、そして、生産コストが削減されることになる。
【００４７】
その上、本考案に係る食品容器では、薄肉容器を食品の接触エリアとして使用している。薄肉容器は使い捨て可能であるため、不衛生な洗浄により汚染されうる上述した食品容器に関する問題が解決される。
【００４８】
本考案に係る剛性容器の上に載置される薄肉容器を有する食品容器の使用方法は、容易、便利、迅速なものである。
【符号の説明】
【００４９】
３０  椀形状の食品容器
３１  オーバル皿状の食品容器
３２  円形皿状の食品容器
３３  椀形状の薄肉容器
３４  椀形状の剛性容器
３５  オーバル皿状の薄肉容器
３６  オーバル皿状の剛性容器
３７  円形皿状の薄肉容器
３８  円形皿状の剛性容器
３９  （椀形状の薄肉容器の）凹部
４０  （椀形状の剛性容器の）凹部
４１  (オーバル皿状の薄肉容器の)凹部
４２  (オーバル皿状の剛性容器の)凹部
４３  (円形皿状の薄肉容器の)凹部
４４  (円形皿状の剛性容器の)凹部
４５  (椀形状の薄肉容器の）上縁部
４６  (オーバル皿状の薄肉容器の)上縁部
４７  (円形皿状の薄肉容器の)上縁部
４８  （椀形状の薄肉容器の）下向きフランジ
４９  （椀形状の薄肉容器の）内方突出部
５０  (オーバル皿状の薄肉容器の)下向きフランジ
５１  (オーバル皿状の薄肉容器の)内方突出部
５２  (円形皿状の薄肉容器の)下向きフランジ
５３  (円形皿状の薄肉容器の)内方突出部
５４  (椀形状の薄肉容器の）グリップ部
５５  (オーバル皿状の薄肉容器の)グリップ部
５６  (円形皿状の薄肉容器の)グリップ部
５７  （椀形状の剛性容器の）上縁部
５８  (オーバル皿状の剛性容器の)上縁部
５９  (円形皿状の剛性容器の)上縁部
６０  剛性容器
６１  （剛性容器の）凹部
６２  （剛性容器の）上縁部
６３  （剛性容器の）下向きフランジ
Ａ  直径、最外径
Ｂ  外径
Ｃ  距離
Ｄ  距離
Ｅ  距離
Ｆ  距離
Ｇ  距離
Ｊ  間隔
ｔ  厚さ
【図１】
0003191090.tif 000003
【図２】
0003191090.tif 000004
【図３】
0003191090.tif 000005
【図４】
0003191090.tif 000006
【図５】
0003191090.tif 000007
【図６】
0003191090.tif 000008
【図７】
0003191090.tif 000009
【図８】
0003191090.tif 000010
【図９】
0003191090.tif 000011
【図１０】
0003191090.tif 000012
【図１１】
0003191090.tif 000013
【図１２】
0003191090.tif 000014
【図１３】
0003191090.tif 000015
【図１４】
0003191090.tif 000016
【図１５】
0003191090.tif 000017
【図１６】
0003191090.tif 000018
【図１７】
0003191090.tif 000019
【図１８】
0003191090.tif 000020
【図１９】
0003191090.tif 000021
【図２０】
0003191090.tif 000022
【図２１】
0003191090.tif 000023
【図２２】
0003191090.tif 000024
【図２３】
0003191090.tif 000025
【図２４】
0003191090.tif 000026
【図２５】
0003191090.tif 000027